(57)【要約】【課題】施工が簡単でリフォーム用建具に好適なフォールディングドア１０を提供すること。【解決手段】框部材２４のパネル用縦溝２４ｂに中パネル２３をはめ込むと、パネル用縦溝２４ｂの底面に形成したピボット用縦溝２４ｃの開口が中パネル２３によって塞がれて縦穴になるので、ピボット用縦溝２４ｃに上部ピボット２１を嵌合して固定することができる。このため、框部材２４の側端面に形成した中パネル用縦溝２４ｂの底面に所要長さのピボット用縦溝２４ｃを予め形成しておくことにより、框部材２４の上部２４ｄをカットして框部材２４の高さを現場調整しても、残っているピボット用縦溝２４ｃに上部ピボット２１をはめ込むことができ、従来のフォールディングドアのように現場で縦穴を加工する必要がない。【選択図】　図３
2004084341.tif 000002
【特許請求の範囲】
【請求項１】
中パネルの左右両端部に框材を組み付けて構成したパネルドア同士をヒンジで二つ折り可能に連結し、各パネルドアの半ヒンジ側の框部材の上下両端部にピボットを固設したフォールディングドアであって、前記框部材の側端面に前記中パネルの側端部が嵌合する中パネル用縦溝を形成すると共に、この中パネル用縦溝の底面に少なくとも前記上部のピボットが嵌合するピボット用縦溝を形成したことを特徴とするフォールディングドア。
【請求項２】
前記ピボット用縦溝を前記框部材の上端部から下端部まで連続して形成したことを特徴とする請求項１に記載のフォールディングドア。
【発明の詳細な説明】
【０００１】
【発明の属する技術分野】
本発明はフォールディングドアに関する。
【０００２】
【従来の技術】
フォールディングドアの一形式として、図４に示すように中パネルａと左右一対の框部材ｂ，ｃから成り、框部材ｂ，ｃの側端面に縦溝ｄを形成し、この縦溝ｄに中パネルａの左右両端部を嵌着し、長尺ボルトｅと長尺ネジｆで固定したパネルドア同士をヒンジで二つ折り可能に連結し、このパネルドアの半ヒンジ側の框部材ｂの上下両端部にピボットｇを固設し、ピボットｂにガイドレールと摺動可能に嵌合するローラーを組み付けたものが知られている。
【０００３】
【発明が解決しようとする課題】
かかる構造のフォールディングドアでは、ピボットｇを取り付ける前に現場で両框部材ｂ，ｃの上部をカットすると共に中パネルａの上部と一側をカットすることで、ドアの高さと幅を現場調整している。
しかしながら、框部材ｃの上部をカットした後、ピボットｇを取り付けるための深い縦穴を現場で框部材ｂの上端部に加工しなければならず、施工に手間がかかる。
本発明はかかる問題点に鑑み、施工現場で簡単に高さや幅を調整でき、リフォーム用建具として好適なフォールディングドアを提供することを目的とする。
【０００４】
【課題を解決するための手段】
請求項１に記載の発明は、中パネルの左右両端部に框材を組み付けて構成したパネルドア同士をヒンジで二つ折り可能に連結し、各パネルドアの半ヒンジ側の框部材の上下両端部にピボットを固設したフォールディングドアであって、前記框部材の側端面に前記中パネルの側端部が嵌合する中パネル用縦溝を形成すると共に、この中パネル用縦溝の底面に少なくとも前記上部のピボットが嵌合するピボット用縦溝を形成したことを特徴とする。
請求項２に記載の発明は、請求項１に記載のフォールディングドアにおいて、前記ピボット用縦溝を前記框部材の上端部から下端部まで連続して形成したことを特徴とする。
【０００５】
【発明の作用・効果】
本発明に係るフォールディングドアでは、框部材のパネル用縦溝に中パネルをはめ込むと、パネル用縦溝の底面に形成したピボット用縦溝の開口が中パネルによって塞がれて縦穴になるので、ピボット用縦溝に上部ピボットを嵌合して固定することができる。
本発明によれば、框部材の側端面に形成した中パネル用縦溝の底面に所要長さのピボット用縦溝を予め形成しておくことにより、框部材の上部をカットして框部材の高さを現場調整しても、残っているピボット用縦溝に上部ピボットをはめ込むことができ、従来のフォールディングドアのように框部材の上部をカットした後に現場で縦穴を加工する必要がなく、また縦溝は縦穴に比べ加工が容易なため施工コストを低減できる。
また、ピボット用縦溝を框部材の下端部まで形成しておくことにより、下部ピボットも縦溝に取り付けることができ、より一層施工コストを低減できる。
【０００６】
【発明の実施の形態】
以下に本発明を図面に基づき説明するに、図１には本発明の一実施形態に係るフォールディングドア１０が示されている。当該フォールディングドア１０は２枚のパネルドア２０をヒンジ１１で二つ折り可能に連結し、各パネルドア２０の反ヒンジ１１側の上端角隅部と下端角隅部にピボット２１，２２を固設して構成されている。
【０００７】
各パネルドア２０は図２及び図３に示すように、中パネル２３と左右一対の框部材２４を備えている。中パネル２３の側端面と框部材２４の側端面にはそれぞれ貫通穴２３ａ，２４ａが形成されている。框部材２４の一側端面には断面矩形のパネル用縦溝２４ｂと、縦溝２４ｂの底面に断面略半円形のピボット用縦溝２４ｃが形成されている。パネル用縦溝２４ｂとピボット用縦溝２４ｃは框部材２４の上端から下端に達している。パネル用縦溝２４ｂとピボット用縦溝２４ｃの内面を除き、框部材２４の表面には化粧シート２５が貼着されている。
【０００８】
パネルドア２０は現場で框部材２４の上部２４ｄをカットすると共に、中パネル２３の上部２３ｂと一側２３ｃをカットし、組み立てたときのパネルドアの高さと幅寸法を調整する。しかる後に、中パネル２３の側端部を框部材２４のパネル用縦溝２４ｂに嵌合し、貫通穴２３ａ，２４ａに長尺ボルト２６とナット部材２７及び長尺ねじ２８を通して框部材２４を中パネル２３に固定する。
【０００９】
中パネル２３を框部材２４のパネル用縦溝２４ｂに嵌着すると、図２に示すようにピボット用縦溝２４ｃの開口が中パネル２３の側端面で塞がれて縦穴が形成されるので、ヒンジ１１で２枚のパネルドア２０を連結したときに反ヒンジ１側にくる框部材２４の上下両端部のピボット用縦穴２４ｃに上部ピボット２１と下部ピボット２２を嵌合して固定する。そして、ヒンジ１１をビス１２で両パネルドア２０に固着して両パネルドア２０を二つ折り可能に連結し、フォールディングドア１０を組み立てる。
【００１０】
以上説明したように、本実施形態に係るフォールディングドア１０では、框部材２４のパネル用縦溝２４ｂに中パネル２３をはめ込むと、パネル用縦溝２４ｂの底面に形成したピボット用縦溝２４ｃの開口が中パネル２３によって塞がれて縦穴になるので、ピボット用縦溝２４ｃに上部ピボット２１を嵌合して固定することができる。このため、框部材２４の側端面に形成した中パネル用縦溝２４ｂの底面に所要長さのピボット用縦溝２４ｃを予め形成しておくことにより、框部材２４の上部２４ｄをカットして框部材２４の高さを現場調整しても、残っているピボット用縦溝２４ｃに上部ピボット２１をはめ込むことができ、従来のフォールディングドアのように現場で縦穴を加工する必要がなく、また縦溝２４ｂ，２４ｃは縦穴に比べ加工が容易なため施工コストを低減できる。
また、ピボット用縦溝２４ｃを框部材２４の下端部まで形成しておくことにより、下部ピボット２２も縦溝２４ｃに取り付けるので、下部ピボット用の縦穴を加工する必要もなく、より一層施工コストを低減できる。
【図面の簡単な説明】
【図１】本発明の一実施形態に係るフォールディングドアを示す正面図である。
【図２】図１の２−２線から切断した断面図である。
【図３】同フォールディングドアを構成するパネルドアの分解斜視図である。
【図４】従来のフォールディングドアを構成するパネルドアを示す斜視図である。
【符号の説明】
１０…フォールディングドア、１１…ヒンジ、２０…パネルドア、２１，２２…ピボット、２３…中パネル、２４…框部材、２４ｂ…中パネル用縦溝、２４ｃ…ピボット用縦溝。
【図１】
2004084341.tif 000003
【図２】
2004084341.tif 000004
【図３】
2004084341.tif 000005
【図４】
2004084341.tif 000006